(57)【要約】      （修正有）【課題】無線通信システムにおいて複数の無線アクセス技術（ＲＡＴ）と適合する携帯装置についてのロケーションサービスを処理する方法を提供する。【解決手段】方法４０は、無線通信システムのネットワークと通信するように複数の無線アクセス技術の第１無線アクセス技術を利用する段階４１０と、ネットワークから、ネットワークの測位支援情報を有する第１メッセージを受信する段階４２０と、測位支援情報に従って、複数の無線アクセス技術の第１無線アクセス技術又は第２無線アクセス技術においてロケーションサービスを開始すべきかどうかを判定する段階４３０と、を有する。【選択図】図４
2011019227.tif 000002
【特許請求の範囲】
【請求項１】
無線通信システムにおいて複数の無線アクセス技術と適合する携帯装置についてのロケーションサービスを処理する方法であって：
前記無線通信システムのネットワークと通信するように、前記複数の無線アクセス技術の第１無線アクセス技術を利用する段階；
前記ネットワークから、前記ネットワークの測位支援情報を有する第１メッセージを受信する段階；及び
前記測位支援情報に従って、前記複数の無線アクセス技術の前記第１無線アクセス技術又は第２無線アクセス技術においてロケーションサービスを開始するべきかどうかを判定する段階；
を有する方法。
【請求項２】
請求項１に記載の方法であって、前記測位支援情報に従って、前記第１無線アクセス技術又は前記第２無線アクセス技術において前記ロケーションサービスを開始すべきかどうかを判定する段階は：
測位が支援されていることを前記測位支援情報が示すときに、前記第１無線アクセス技術において前記ロケーションサービスを開始する段階；及び
測位が支援されていないことを前記測位支援情報が示すときに、前記第２無線アクセス技術において前記ロケーションサービスを開始する段階；
を有する、方法。
【請求項３】
請求項２に記載の方法であって、前記測位が支援されていないことを前記測位支援情報が示すときに、前記第２無線アクセス技術において前記ロケーションサービスを開始する段階は：
前記第１無線アクセス技術から前記第２無線アクセス技術を入力する回路切り換えフォールバック手順を開始する段階；及び
前記第２無線アクセス技術において前記ロケーションサービスを開始する段階；
を有する、方法。
【請求項４】
無線通信システムにおいて複数の無線アクセス技術と適合する携帯装置についてのロケーションサービスを処理する方法であって：
前記複数の無線アクセス技術の第１無線アクセス技術において第１ロケーションサービスを開始する段階；
前記第１ロケーションサービスが前記第１無線アクセス技術において失敗したとき、前記複数の無線アクセス技術の第２無線アクセス技術において第２ロケーションサービスを開始する段階；
を有する方法。
【請求項５】
無線通信システムにおいてネットワークについてロケーションサービスを処理する方法であって、前記無線通信システムは、複数の無線アクセス技術と適合する携帯装置を有する、方法であり：
前記複数の無線アクセス技術の第１無線アクセス技術において前記携帯装置の第１ロケーションサービスを開始する段階；
前記第１ロケーションサービスの前記開始が前記第１ロケーションサービスにおいて失敗したとき、前記複数の無線アクセス技術の第１無線アクセス技術において前記携帯装置の第２ロケーションサービスを開始する段階；
を有する方法。
【請求項６】
無線通信システムにおけるネットワークについてロケーションサービスを処理する方法であって：
第１無線アクセス技術において携帯装置の測位能力情報を有する第１メッセージを前記携帯装置から受信する段階；
前記測位能力情報に従って、前記第１無線アクセス技術又は第２無線アクセス技術において前記携帯装置のロケーションサービスを開始すべきかどうかを判定する段階；
を有する方法。
【請求項７】
請求項６に記載の方法であって、前記測位能力情報に従って、前記第１無線アクセス技術又は前記第２無線アクセス技術において前記ロケーションサービスを開始すべきかどうかを判定する段階は：
前記第１無線アクセス技術がロングタームエボリューション無線アクセス技術であり、前記携帯装置がロングタームエボリューション測位プロトコルを支援することを前記測位支援情報が示すときに、前記第１無線アクセス技術において前記携帯装置の前記ロケーションサービスを開始する段階；及び
前記携帯装置がロングタームエボリューション測位プロトコルを支援しないことを前記測位支援情報が示すときに、前記第２無線アクセス技術において前記ロケーションサービスを開始する段階
を有する、方法。
【請求項８】
ロケーションサービスを処理する無線通信システムの複数の無線アクセス技術（ＲＡＴ）と適合する携帯装置であって：
前記無線通信システムのネットワークと通信するように、前記複数の無線アクセス技術の第１無線アクセス技術を利用する手段；
前記ネットワークから、前記ネットワークの測位支援情報を有する第１メッセージを受信する手段；及び
前記測位支援情報に従って、前記複数の無線アクセス技術の前記第１無線アクセス技術又は第２無線アクセス技術においてロケーションサービスを開始するべきかどうかを判定する手段；
を有する携帯装置。
【請求項９】
請求項８に記載の携帯装置であって、前記測位支援情報に従って、前記第１無線アクセス技術又は前記第２無線アクセス技術において前記ロケーションサービスを開始すべきかどうかを判定する手段は：
測位が支援されていることを前記測位支援情報が示すときに、前記第１無線アクセス技術において前記ロケーションサービスを開始する手段；及び
測位が支援されていないことを前記測位支援情報が示すときに、前記第２無線アクセス技術において前記ロケーションサービスを開始する手段；
を有する、携帯装置。
【請求項１０】
請求項９に記載の携帯装置であって、前記測位が支援されていないことを前記測位支援情報が示すときに、前記第２無線アクセス技術において前記ロケーションサービスを開始する手段は：
前記第１無線アクセス技術から前記第２無線アクセス技術を入力する回路切り換えフォールバック手順を開始する手段；及び
前記第２無線アクセス技術において前記ロケーションサービスを開始する手段；
を有する、携帯装置。
【請求項１１】
請求項８に記載の携帯装置であって：
前記測位支援情報を前記ネットワークに要求する第２メッセージを送信する手段；
を更に有する、携帯装置。
【請求項１２】
請求項８に記載の携帯装置であって、前記測位支援情報は、高度化サービング移動ロケーションセンタ能力、支援測位方法、支援ロケーションサービスの情報の少なくとも一を有する、携帯装置。
【請求項１３】
ロケーションサービスを処理する無線通信システムの複数の無線アクセス技術と適合する携帯装置であって：
前記複数の無線アクセス技術の第１無線アクセス技術において第１ロケーションサービスを開始する手段；及び
前記第１ロケーションサービスの前記開始が前記第１無線アクセス技術において失敗したときに、前記複数の無線アクセス技術の第２無線アクセス技術において第２ロケーションサービスを開始する手段；
を有する携帯装置。
【請求項１４】
請求項１３に記載の携帯装置であって、前記第１ロケーションサービスの前記開始が前記第１無線アクセス技術において失敗したとき、前記第２無線アクセス技術における前記第２ロケーションサービスを開始する前記手段は：
前記携帯装置のユーザからの指示信号を有することなく、前記第１ロケーションサービスの前記開始が前記第１無線アクセス技術において失敗したときに、前記第２無線アクセス技術において前記第２ロケーションサービスを開始する手段；
を有する携帯装置。
【請求項１５】
ロケーションサービスを処理する無線通信システムのネットワークであって、前記無線通信システムは複数の無線アクセス技術と適合する携帯装置を有する、ネットワークであり：
前記複数の無線アクセス技術の第１無線技術において前記携帯装置の第１ロケーションサービスを開始する手段；及び
前記第１ロケーションサービスの前記開始が前記第１無線アクセス技術において失敗したときに、前記複数の無線アクセス技術の第２無線アクセス技術において前記携帯装置の第２ロケーションサービスを開始する手段；
を有するネットワーク。
【請求項１６】
ロケーションサービスを処理する無線通信システムのネットワークであって：
第１無線アクセス技術において携帯装置の測位能力情報を有する第１メッセージを前記携帯装置から受信する手段；及び
前記測位能力情報に従って、前記第１無線アクセス技術又は第２無線アクセス技術において前記携帯装置のロケーションサービスを開始すべきかどうかを判定する手段；
を有するネットワーク。
【請求項１７】
請求項１６に記載のネットワークであって、前記測位能力情報に従って、前記第１無線アクセス技術又は前記第２無線アクセス技術において前記携帯装置の前記ロケーションサービスを開始すべきかどうかを判定する前記手段は：
前記携帯装置がロングタームエボリューション測位プロトコルを支援することを前記測位能力情報が示すときに、前記第１無線アクセス技術において前記携帯装置の前記ロケーションサービスを開始する手段；及び
前記携帯装置が前記ロングタームエボリューション測位プロトコルを支援しないことを前記測位能力情報が示すときに、前記第２無線アクセス技術において前記ロケーションサービスを開始する手段；
を有するネットワーク。
【請求項１８】
請求項１６に記載のネットワークであって：
前記第１メッセージが受信される前に、前記測位能力情報について前記携帯装置に要求するように第２メッセージを送信する手段；
を更に有するネットワーク。
【請求項１９】
ロケーションサービスを処理する無線通信システムのネットワークであって：
第１無線アクセス技術において携帯装置の測位能力情報について前記携帯装置に要求する手段；
前記携帯装置から前記測位能力情報を受信する手段；
前記携帯装置が前記ロケーションサービスを支援することを前記測位能力情報が示すときに、第２無線アクセス技術において前記携帯装置のロケーションサービスを開始する手段；及び
前記携帯装置が前記ロケーションサービスを支援しないことを前記測位能力情報が示すときに、前記ロケーションサービスを開始しない手段；
を有するネットワーク。
【請求項２０】
請求項１９に記載のネットワークであって、前記第１無線アクセス技術において前記携帯装置の前記測位能力情報について前記携帯装置に要求する前記手段は：
前記ロケーションサービスに対応する回路切り換えフォールバック手順についてのハンドオーバが実行される前に、前記測位能力情報について前記携帯装置に要求する手段；及び
前記ロケーションサービスに対応する回路切り換えフォールバック手順についてのハンドオーバが実行された後に、前記測位能力情報について前記携帯装置に要求する手段；
を有するネットワーク。
【請求項２１】
請求項１９に記載のネットワークであって、前記携帯装置から、前記複数の無線アクセス技術の前記第１無線アクセス技術を利用する前記携帯装置の前記測位能力情報を要求する前記手段は：
メッセージを送信することにより前記携帯装置の前記測位能力情報を要求する手段；  
を有するネットワーク。
【請求項２２】
請求項１９に記載のネットワークであって、前記携帯装置から、前記測位能力情報を要求する前記手段は：
移動局クラスマーク２情報要素及び移動局クラスマーク３情報要素の少なくとも一を有するメッセージを受信する手段；並びに
移動局クラスマーク２情報要素及び移動局クラスマーク３情報要素の少なくとも一から前記測位能力情報を得る手段；
を有するネットワーク。
【請求項２３】
請求項２２に記載のネットワークであって、前記携帯装置が前記ロケーションサービスを支援することを前記測位能力情報が示すときに、前記第２無線アクセス技術において前記携帯装置の前記ロケーションサービスを開始する前記手段は：
前記携帯装置が前記ロケーションサービスを支援することを前記測位能力情報が示すときに、前記移動局クラスマーク２情報要素及び前記移動局クラスマーク３情報要素の前記少なくとも一に従って、前記第２無線アクセス技術において前記ロケーションサービスを開始する手段；
を有するネットワーク。
【発明の詳細な説明】
【技術分野】
【０００１】
本発明は、無線通信で用いられる方法及びそれに関連する通信装置に関し、特に、無線通信システム及びそれに関連する通信装置におけるロケーションサービスを処理する方法に関するものである。
【背景技術】
【０００２】
第三世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）により提案されたロングタームエボリューション（ＬＴＥ：Ｌｏｎｇ  Ｔｅｒｍ  Ｅｖｏｌｕｔｉｏｎ）システムは、今日、高データレート、低レイテンシ、パケットの最適化及び改善されたシステム容量並びにカバレッジを提供する新しい無線インタフェースアーキテクチャ及び無線ネットワークアーキテクチャとみなされてきている。ＬＴＥシステムにおいては、高度化ＵＴＲＡＮ（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は複数の高度化ノードＢ（ｅＮＢ：ｅｖｏｌｖｅｄ  Ｎｏｄｅ−Ｂ）を有し、ユーザ機器（ＵＥ：Ｕｓｅｒ  Ｅｑｕｉｐｍｅｎｔ）とも称される複数の移動局と通信することができる。
【０００３】
ロケーションサービス（ＬＣＳ：Ｌｏｃａｔｉｏｎ  Ｓｅｒｖｉｃｅ）はユーザ機器（ＵＥ）のために用いられ、移動体発ロケーション要求（ＭＯ−ＬＲ：Ｍｏｂｉｌｅ  Ｏｒｉｇｉｎａｔｅ  Ｌｏｃａｔｉｏｎ  Ｒｅｑｕｅｓｔ）、移動体着ロケーション要求（ＭＴ−ＬＲ：Ｍｏｂｉｌｅ  Ｔｅｒｍｉｎａｔｅｄ  Ｌｏｃａｔｉｏｎ  Ｒｅｑｕｅｓｔ）及びネットワーク誘導ロケーション要求（ＮＩ−ＬＲ：Ｎｅｔｗｏｒｋ  Ｉｎｄｕｃｅｄ  Ｌｏｃａｔｉｏｎ  Ｒｅｑｕｅｓｔ）を有する。ＬＣＳは、システム（例えば、移動通信のためのグローバスシステム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）又はＵＭＴＵ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ））規格におけるサービス概念であり、実行のための測位機能を必要とする。ＬＣＳは、ユーザ機器の位置を決定するように、セル同一性（ＩＤ）ベースの方法、ＯＴＤＯＡ（Ｏｂｓｅｒｖｅｄ  Ｔｉｍｅ  Ｄｉｆｆｅｒｅｎｃｅ  ｏｆ  Ａｒｒｉｖａｌ）方法、Ａ−ＧＮＳＳ（Ａｓｓｉｓｔｅｄ  Ｇｌｏｂａｌ  Ｎａｖｉｇａｔｉｏｎ  Ｓａｔｅｌｌｉｔｅ  Ｓｙｓｔｅｍ）方法等の１つ又はそれ以上の測位方法を利用する。
【０００４】
ＬＥＴシステムにおいては、ＵＥは、ＬＥＴシステムが測位機能を支援するときに、ＬＥＴシステムのＥ−ＳＭＬＣ（Ｅｖｏｌｖｅｄ  Ｓｅｒｖｉｎｇ  Ｍｏｂｉｌｅ  Ｌｏａｃａｔｉｏｎ  Ｃｅｎｔｅｒ）によりロケーションサービス（例えば、ＭＯ−ＬＲ）を開始する。Ｅ−ＳＭＬＣは、ＵＥの測位及びＵＥへの支援データの配信を含む、ＵＥに対する異なるロケーションサービスの支援を管理する。他方、ＵＥは、ＬＴＥシステムが測位機能を支援しないときに、測位機能を支援する他のシステム（例えば、ＧＳＭ又はＵＭＴＳ）に対して回路切り換え（ＣＳ：Ｃｉｒｃｕｉｔ  Ｓｗｉｔｃｈｅｄ）フォールバック手順をトリガする。その場合、ＵＥは、ＵＭＴＳにおいてロケーションサービスを開始するように、ＵＥをＥ−ＵＴＲＡＮから他のネットワーク（例えば、ＵＭＴＳのＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に切り換えるようにする。ＣＳフォールバック手順については当該技術分野においては既知であり、それ故、ここではその説明は省く。
【０００５】
同様に、ＬＴＥネットワークは、ＬＴＥネットワークが測位機能を支援する場合に、ＵＥにＭＴ−ＬＲ／ＮＩ−ＬＲを開始することが可能であり、又は、そのネットワークは、ＣＳフォールバック手順によりＵＭＴＳネットワークにおいてＵＥに対してＭＴ−ＬＲ／ＮＩ−ＬＲを開始する。
【０００６】
ＬＴＥシステムにおけるロケーションサービスについての不明確な特定のために、次のような複数のシナリオについて説明する。
【０００７】
第１シナリオにおいては、ＵＭＴＳ／ＬＴＥ測位能力及びＣＳフォールバック能力を有するＵＥについて、ＬＴＥセルをキャンプオンするＵＥは、ＣＳフォールバック手順によりＬＴＥ又はＵＭＴＳにおいてＭＯ−ＬＲを開始することが可能である。しかしながら、そのネットワークは、ＬＴＥ又はＵＭＴＳにおいてＭＯ−ＬＲを開始するようにＵＥを制御することができず、従って、モビリティ管理又は負荷の課題をもたらす。
【０００８】
第２シナリオにおいては、ＵＭＴＳ／ＬＴＥ測位能力及びＣＳフォールバック能力を有するＵＥについて、ＬＴＥセルにキャンプオンするＵＥは、ＣＳフォールバック手順によりＬＴＥネットワーク又はＵＭＴＳネットワークにおいてＭＯ−ＬＲを開始することが可能である。しかしながら、ＬＴＥシステムは、ＭＯ−ＬＲを開始するようにＵＥがＬＴＥネットワーク又はＵＭＴＳネットワークを選択する機構を提供しない。ＵＥはＬＴＥネットワークを選択するが、ＬＴＥネットワークが測位機能を支援しない場合には、ＵＥはＭＯ−ＬＲを開始することに失敗する。その後、ＵＥは、ＭＯ−ＬＲロケーションサービスの開始が失敗したことをユーザに示す。この状況下で、ＵＥは、ＵＭＴＳネットワークが測位機能を支援する場合でさえ、ＵＭＴＳネットワークにおいてＭＯ−ＬＲを開始しない。
【０００９】
第３シナリオにおいては、そのネットワークは、ＵＥがロングタームエボリューション測位プロトコル（ＬＰＰ：ＬＴＥ  Ｐｏｓｉｔｉｏｎｉｎｇ  Ｐｒｏｔｏｃｏｌ）を支援するかどうかを認識していない。従って、そのネットワークは、ＣＳフォールバック手順によりＬＴＥネットワーク又はＵＭＴＳネットワークにおいてＭＴ−ＬＲ／ＮＩ−ＬＲを開始することを決定することができない。ＬＰＰは、ＵＥとＥ−ＳＭＬＣとの間で終了されるのであり、ＵＥを測位するようにＥ−ＳＭＬＣとＵＥとの間の二点間測位プロトコルであることに留意されたい。ＬＰＰは、ＵＥアクセスＥ−ＵＴＲＡＮについての測位関連サービス及びロケーション関連サービスを支援し、複数の異なる測位方法を用いてＬＴＥを測位することが可能であるように意図されている。
【００１０】
第４シナリオにおいては、そのネットワークは、ＣＳフォールバックによりＵＭＴＳネットワークにおいてＬＴＥネットワークをキャンプオンするＵＥに対してＭＴ−ＬＲ／ＮＩ−ＬＲを開始することが可能であり、ＵＥは、ＬＣＳ機能又は測位機能を支援しないために、ＭＴ−ＬＲ／ＮＩ−ＬＲを拒否する。その欠点は、ＵＥがＧＳＭネットワーク又はＵＴＲＡＮネットワークに対する不必要なハンドオーバであることである。ＬＴＥからＧＳＭ／ＵＴＲＡＮに対するこの不必要なハンドオーバは、ＵＥとそのネットワークとの間での及びＬＴＥネットワークとＧＳＭ／ＵＴＲＡＮネットワークとの間でのメッセージ交換のシグナリングのために、資源（即ち、電力、帯域幅）を浪費する。更に、ＵＥは、ＵＥがアイドルモードに入った後に、ＬＴＥネットワークに戻るように再選択する可能性がある。これは、不必要な再選択であり、ＵＥの電力を浪費し、再選択中にページングを失敗する可能性がある。
【先行技術文献】
【非特許文献】
【００１１】
【非特許文献１】３ＧＰＰ  ＴＳ  ２３．２７２  Ｖ８．３．０  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｃｉｒｃｕｉｔ  Ｓｗｉｔｃｈｅｄ  Ｆａｌｌｂａｃｋ  ｉｎ  Ｅｖｏｌｖｅｄ  Ｐａｃｋｅｔ  Ｓｙｓｔｅｍ；  Ｓｔａｇｅ  ２  （Ｒｅｌｅａｓｅ  ８）
【非特許文献２】３ＧＰＰ  Ｒ２−０９４０７１  Ｍｉｓｃｅｌｌａｎｅｏｕｓ  ｃｏｒｒｅｃｔｉｏｎｓ  ｔｏ  ＴＳ  ３６．３０５
【発明の概要】
【発明が解決しようとする課題】
【００１２】
以下、無線通信システムにおいてロケーションサービスを処理する方法において、上記の課題を解決することについて開示されている。
【課題を解決するための手段】
【００１３】
無線通信システムにおける複数の無線アクセス技術（ＲＡＴ：Ｒａｄｉｏ  Ａｃｃｅｓｓ  Ｔｅｃｈｎｏｌｏｇｙ）と適合する携帯装置についてのロケーションサービスを処理する方法について開示されている。その方法は、無線通信システムのネットワークと通信する複数のＲＡＴの第１ＲＡＴを利用する段階と、そのネットワークからネットワークの測位支援情報を有する第１メッセージを受信する段階と、測位支援情報に従って複数のＲＡＴの第１ＲＡＴ又は第２ＲＡＴにおけるロケーションサービスを開始すべきかどうかを判定する段階と、を有する。
【００１４】
無線通信システムにおいて複数の無線アクセス技術（ＲＡＴ）と適合する携帯装置についてのロケーションサービスを処理する方法について開示されている。その方法は、複数のＲＡＴの第１ＲＡＴにおいて第１ロケーションサービスを開始する段階と、第１ロケーションサービスの開始が第１ＲＡＴにおいて失敗したときに、複数のＲＡＴの第２ＲＡＴにおいて第２ロケーションサービスを処理する段階と、を有する。
【００１５】
複数の無線アクセス技術（ＲＡＴ）と適合する携帯装置を有する無線通信システムにおいてネットワークについてのロケーションサービスを処理する方法について開示されている。その方法は、複数のＲＡＴの第１ＲＡＴにおいて携帯装置の第１ロケーションサービスを開始する段階と、第１ロケーションサービスが第１ＲＡＴにおいて失敗したとき、複数のＲＡＴの第２ＲＡＴにおいて携帯装置の第２ロケーションサービスを開始する段階と、を有する。
【００１６】
無線通信システムにおいてネットワークについてのロケーションサービスを処理する方法について開示されている。その方法は、第１無線アクセス技術（ＲＡＴ）において携帯装置の測位能力情報を有する第１メッセージを携帯装置から受信する段階と、測位能力情報に従って第１ＲＡＴ又は第２ＲＡＴにおいて携帯装置のロケーションサービスを開始すべきかどうかを判定する段階と、を有する。
【００１７】
ロケーションサービスを処理する無線通信システムの複数の無線アクセス技術（ＲＡＴ）と適合する携帯装置について開示されている。その携帯装置は、無線通信システムのネットワークと通信する複数のＲＡＴの第１ＲＡＴを利用する手段と、そのネットワークからそのネットワークの測位支援情報を有する第１メッセージを受信する手段と、その測位支援情報に従って、複数のＲＡＴの第１ＲＡＴ又は第２ＲＡＴにおいてロケーションサービスを開始すべきかどうかを判定する手段と、を有する。
【００１８】
ロケーションサービスを処理する無線通信システムの複数の無線アクセス技術（ＲＡＴ）と適合する携帯装置について開示されている。その携帯装置は、複数のＲＡＴの第１ＲＡＴにおいて第１ロケーションサービスを開始する手段と、第１ロケーションサービスの開始が第１ＲＡＴにおいて失敗したときに、複数のＲＡＴの第２ＲＡＴにおいて第２ロケーションサービスを開始する手段と、を有する。
【００１９】
ロケーションサービスを処理する無線通信システムのネットワークであって、その無線通信システムは複数の無線アクセス技術（ＲＡＴ）と適合する携帯装置を有する、ネットワークについて開示されている。そのネットワークは、複数のＲＡＴの第１ＲＡＴにおいて携帯装置の第１ロケーションサービスを開始する手段と、第１ロケーションサービスの開始が第１ＲＡＴにおいて失敗したときに、複数のＲＡＴの第２ＲＡＴにおける携帯装置の第２位置サービスを開始する手段と、を有する。
【００２０】
ロケーションサービスを処理する無線通信システムのネットワークについて開示されている。そのネットワークは、第１無線アクセス技術（ＲＡＴ）において携帯装置の測位能力情報を有する第１メッセージを携帯装置から受信する手段と、その測位能力情報に従って、第１ＲＡＴ又は第２ＲＡＴにおいて携帯装置のロケーションサービスを開始すべきかどうかを判定する手段と、を有する。
【００２１】
ロケーションサービスを処理する無線通信システムのネットワークについて開示されている。そのネットワークは、第１無線アクセス技術（ＲＡＴ）において無線装置の測位能力情報について携帯装置に要求する手段と、携帯装置から測位能力情報を受信する手段と、携帯装置がロケーションサービスを支援することを測位能力情報が示すときに、第２ＲＡＴにおいて携帯装置のロケーションサービスを開始する手段と、携帯装置がロケーションサービスを支援しないことを測位能力情報が示すときに、ロケーションサービスを開始しない手段と、を有する。
【００２２】
本発明の上記の及び他の目的については、以下、複数の図に示されている詳細な好適な実施例を理解することにより、当業者にとって明確になることは疑う余地がない。
【図面の簡単な説明】
【００２３】
【図１】例示としての無線通信システムの模式図である。
【図２】例示としての通信装置の模式図である。
【図３】例示としてのプログラムコードの模式図である。
【図４】本発明に従った例示としての処理のフローチャートである。
【図５】本発明に従った例示としての処理のフローチャートである。
【図６】本発明に従った例示としての処理のフローチャートである。
【図７】本発明に従った例示としての処理のフローチャートである。
【図８】本発明に従った例示としての処理のフローチャートである。
【発明を実施するための形態】
【００２４】
実施例に従った無線通信システム１０の模式図である図１を参照されたい。手短にいうと、その無線通信システム１０はネットワーク及び複数の携帯装置を有する。無線通信システム１０は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ−Ｔｅｒｍ  Ｅｖｏｌｕｔｉｏｎ）システム又は他の何れかの類似するネットワークシステムであることが可能である。ＬＴＥシステムにおいては、そのネットワークは、複数のｅＭＢ又はコアネットワークエンティティ（例えば、ＭＭＥと略記されるモビリティ管理エンティティ）を有する進化型ＵＴＲＡＮ（Ｅｖｏｌｖｅｄ−ＵＴＲＡＮ）と称せられることが可能であり、携帯装置はユーザ機器（ＵＥ：Ｕｓｅｒ  Ｅｑｕｉｐｍｅｎｔ）と称せられる。ＵＥは、携帯電話、コンピュータシステム等の装置であることが可能である。この用語は、容易に参照できるように本明細書を通して用いられる。しかしながら、このことは、何れかの１つの特定の種類のネットワークの開示に限定するとして解釈されるべきものではない。一部の実施例においては、そのネットワーク及びＵＥは、送信方向に従って送信器又は受信器として理解され、例えば、上り（ＵＬ：ｕｐｌｉｎｋ）については、ＵＥは送信器であり且つネットワークは受信器であり、そして下り（ＤＬ：ｄｏｗｎｌｉｎｋ）については、ネットワークは送信器であり且つＵＥは受信器である。
【００２５】
図２は、例示としての通信装置２０の模式図である。通信装置２０は、図１に示している携帯装置であることが可能であるが、ここでは、それに限定されるものではない。通信装置２０は、マイクロプロセッサ又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、記憶ユニット２１０及び通信インタフェースユニット２２０等の処理手段を有することが可能である。記憶ユニット２１０は、処理手段２００によるアクセスのための処理コード２１４を記憶することが可能である何れかのデータ記憶装置であることが可能である。記憶ユニット２１０の実施例には、加入者識別モジュール（ＳＩＭ：Ｓｕｂｓｃｒｉｂｅｒ  Ｉｄｅｎｔｉｆｙ  Ｍｏｄｕｌｅ）、読み出し専用メモリ（ＲＯＭ：Ｒｅａｄ−Ｏｎｌｙ  Ｍｅｍｏｒｙ）、フレッシュメモリ、ランダムアクセスメモリ（ＲＡＭ：Ｒａｎｄｏｍ−Ａｃｃｅｓｓ  Ｍｅｍｏｒｙ）、ＣＤ−ＲＯＭ、磁気テープ、ハードディスク及び光学データ記憶装置があるが、それらに限定されるものではない。通信インタフェースユニット２２０は、好適には、無線トランシーバであり、処理手段２００の処理結果に従ってネットワークと無線信号のやりとりを行うことが可能である。
【００２６】
実施例に従ったＬＴＥシステムについてのプログラムコード２１４の模式図を示す図３を参照されたい。プログラムコード２１４は、全体に亘って、ＬＴＥ測位プロトコル（ＬＰＰ）レイヤ３００、ＮＡＳ（Ｎｏｎ−Ａｃｃｅｓｓ  Ｓｔｒａｔｕｍ）レイヤ３１０、無線資源制御（ＲＲＣ：Ｒａｄｉｏ  Ｒｅｓｏｕｒｃｅ  Ｃｏｎｔｒｏｌ）レイヤ３２０、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）レイヤ３３０、無線リンク制御（ＲＬＣ：Ｒａｄｉｏ  Ｌｉｎｋ  Ｃｏｎｔｒｏｌ）レイヤ３４０、メディアアクセス制御（ＭＡＣ：Ｍｅｄｉｕｍ  Ａｃｃｅｓｓ  Ｃｏｎｔｒｏｌ）レイヤ３５０及び物理（ＰＨＹ：Ｐｈｙｓｉｃａｌ）レイヤ３６０である複数の通信プロトコルレイヤのプログラムコードを有する。ＬＰＰレイヤ３００は、Ｅ−ＵＴＲＡＮにアクセスするＵＥのための測位及び関連ロケーションサービス（例えば、移動体発ロケーション要求（ＭＯ−ＬＲ）、移動体着ロケーション要求（ＭＴ−ＬＲ）及びネットワーク誘導ロケーション要求（ＮＩ−ＬＲ））を支援し、複数の異なる測位方法を用いてＬＴＥについての測位を可能にするように意図されている。
【００２７】
例示としての処理４０のフローチャートを示す図４を参照されたい。その処理４０は、ロケーションサービスを処理するＵＥで利用され、ここで、ＵＥは図１の携帯装置であることが可能であり、複数の無線アクセス技術（ＲＡＴ）と適合する。処理４０は、プログラムコード２１４にまとめられることが可能であり、次のステップを有する。
ステップ４００：開始。
ステップ４１０：無線通信システムのネットワークと通信するように複数のＲＡＴの第１ＲＡＴを利用する。
ステップ４２０：ネットワークから、ネットワークの測位支援情報を有する第１メッセージを受信する。
ステップ４３０：測位支援情報に従って、複数のＲＡＴの第１ＲＡＴ又は第２ＲＡＴにおいてロケーションサービスを開始すべきかどうかを判定する。
ステップ４４０：終了。
【００２８】
処理４０に従って、ＵＥは、第１ＲＡＴを支援するネットワークから測位支援情報を受信し、測位支援情報に従って第１ＲＡＴ又は第２ＲＡＴにおいてロケーションサービスを開始すべきかどうかを判定する。例えば、ＵＥは、測位機能が支援されることを測位支援情報が示すときに、第１ＲＡＴにおいてロケーションサービスを開始する。更に、ＵＥは、測位機能が支援されないことを測位支援情報が示すときに、第２ＲＡＴにおいてロケーションサービスを開始する。従って、そのネットワークは、ＵＥのロケーションサービスの開始を制御することができる。
【００２９】
更に、測位支援情報は、ＬＰＰ支援情報、高度化サービング移動ロケーションセンタ（Ｅ−ＳＭＬＣ：Ｅｖｏｌｖｅｄ  Ｓｅｒｖｉｎｇ  Ｍｏｂｉｌｅ  Ｌｏｃａｔｉｏｎ  Ｃｅｎｔｒｅ）能力、支援測位方法（例えば、セル同一性（ＩＤ）ベースの方法、ＯＴＤＯＡ（Ｏｂｓｅｒｖｅｄ  Ｔｉｍｅ  Ｄｉｆｆｅｒｅｎｃｅ  ｏｆ  Ａｒｒｉｖａｌ）方法、Ａ−ＧＮＳＳ（Ａｓｓｉｓｔｅｄ  Ｇｌｏｂａｌ  Ｎａｖｉｇａｔｉｏｎ  Ｓａｔｅｌｌｉｔｅ  Ｓｙｓｔｅｍ）方法及び支援ロケーションサービス（例えば、ＭＯ−ＬＲ、ＭＴ−ＬＲ及びＮＩ−ＬＲ））の少なくとも１つを有する。
【００３０】
更に、そのネットワークは、第１メッセージによりＵＥに測位支援情報を送信する。第１メッセージは、無線資源制御（ＲＲＣ）メッセージ又はＮＡＳ（Ｎｏｎ−Ａｃｃｅｓｓ  Ｓｔｒａｔｕｍ）メッセージであることが可能である。ＲＲＣメッセージは、放送制御チャネル（ＢＣＣＨ：Ｂｒｏａｄｃａｓｔ  Ｃｏｎｔｒｏｌ  Ｃｈａｎｎｅｌ）メッセージ（即ち、システム情報）又は専用メッセージ（例えば、ＲＲＣ接続設定メッセージ）であることが可能である。ＮＡＳメッセージは、ＡＴＴＡＨ  ＡＣＣＥＰＴメッセージ、ロケーションエリア更新（ＬＡＵ：Ｌｏｃａｔｉｏｎ  Ａｒｅａ  Ｕｐｄａｔｅ）ＡＣＣＥＰＴメッセージ、ルーティングエリア更新（ＲＡＵ：Ｒｏｕｔｉｎｇ  Ａｒｅａ  Ｕｐｄａｔｅ）受け入れメッセージ又はトラッキングエリア更新（ＴＡＵ：Ｔｒａｃｋｉｎｇ  Ａｒｅａ  Ｕｐｄａｔｅ）受け入れメッセージであることが可能である。それらのメッセージは例示であって、それらに限定されるものではない。
【００３１】
処理４０の概念に基づく実施例を参照されたい。第１ＲＡＴはＬＴＥ  ＲＡＴであり、第２ＲＡＴはＵＭＴＳ  ＲＡＴであることを前提としている。ＵＥがＭＯ−ＬＲロケーションサービスを開始することを望むとき、ＵＥは先ず、測位支援情報についてＬＴＥネットワーク（例えば、Ｅ−ＵＴＲＡＮ）に要求するように第２メッセージを送信する。第２メッセージはＬＰＰ能力要求メッセージであることが可能である。ＬＴＥネットワークがＬＰＰ能力要求メッセージを受信した後、ＬＴＥネットワークは、ＵＥへの測位支援情報を有するＬＰＰ能力指示メッセージと共にＬＰＰ能力要求メッセージを応答する。測位機能が支援されることを測位支援情報が示す場合、ＵＥは、ＭＯ−ＬＲロケーションサービスの開始のためにＬＴＥネットワークにサービス要求メッセージを送信する。他方、測位機能が支援されていないことを測位支援情報が示す場合、ＵＥは、ＵＭＴＳに対するＣＳフォールバックの開始のためにＬＴＥネットワークに拡張サービス要求メッセージを送信する。この後、ＵＥは、ＬＴＥ  ＲＡＴからＵＭＴＳ  ＲＡＴへのハンドオーバになり、その場合、ＵＭＴＳ  ＲＡＴにおけるＭＯ−ＬＲロケーションサービスを開始する。
【００３２】
例示としての処理のフローチャートである図５を参照されたい。処理５０は、ロケーションサービスを処理するＵＥで利用され、その場合、ＵＥは図１の携帯装置であることが可能であり、複数のＲＡＴと互換性を有する。処理５０は、プログラムコード２１４にまとめられることが可能であり、次のステップを有する。
ステップ５００：開始。
ステップ５１０：複数のＲＡＴの第１ＲＡＴにおいて第１ロケーションサービスを開始する。
ステップ５２０：第１ロケーションサービスの開始が第１ＲＡＴにおいて失敗したとき、複数のＲＡＴの第２ＲＡＴにおける第２ロケーションサービスを開始する。
ステップ５３０：終了。
【００３３】
処理５０に従って、ＵＥは、第１ＲＡＴにおいて第１ロケーションサービスを開始し、第１ロケーションサービスが第１ＲＡＴにおいて失敗したとき、第２ＲＡＴにおいて第２ロケーションサービスを開始する。従って、第１ロケーションサービスが失敗し、それ故、ロケーションサービス効率が高くなるとき、ＵＥは、ＵＥのユーザからの指示を有することなく（例えば、ユーザは、第２ロケーションサービスの開始の指示に対して何ら信号を入力する必要なく）、第２ロケーションサービスを開始することができる。
【００３４】
例えば、ＵＥは、ＬＴＥ  ＲＡＴにおいてＭＯ−ＬＲロケーションサービスを開始することを決定する。ＵＥは、ＵＥがＬＴＥ  ＲＡＴにおけるＭＯ−ＬＲロケーションサービスを開始することに失敗した場合、ユーザの介入なしにＣＳフォールバック手順によりＵＭＴＳ  ＲＡＴにおいて新しいＭＯ−ＬＲロケーションサービスを開始する。又は、ＵＥは、ＣＳフォールバック手順によりＵＭＴＳ  ＲＡＴにおいてＭＯ−ＬＲロケーションサービスを開始することを決定する。ＵＥは、ＵＥがＣＳフォールバック手順によりＵＭＴＳにおいてＭＯ−ＬＲロケーションサービスを開始ことに失敗した場合、ユーザの介入なしにＵＭＴＳ  ＲＡＴにおいて新しいＭＯ−ＬＲロケーションサービスを開始する。
【００３５】
例示としての処理６０のフローチャートである図６を参照されたい。処理６０は、ロケーションサービスを処理するネットワークで利用される。処理６０は、プログラムコード２１４にまとめられることが可能であり、次のステップを有する。
ステップ６００：開始。
ステップ６１０：複数のＲＡＴの第１ＲＡＴにおいてＵＥの第１ロケーションサービスを開始する。
ステップ６２０：第１ロケーションサービスの開始が第１ＲＡＴにおいて失敗したとき、複数のＲＡＴの第２ＲＡＴにおいてＵＥの第２ロケーションサービスを開始する。
ステップ６３０：終了。
【００３６】
処理６０に従って、ネットワークは、第１ＲＡＴにおいてＵＥに対して第１ロケーションサービスを開始し、第１ロケーションサービスが第１ＲＡＴにおいて失敗したとき、第２ＲＡＴにおいてＵＥに対して第２ロケーションサービスを開始する。従って、ネットワークは、第１ロケーションサービスが失敗し、それ故、ロケーションサービス効率が高くなるとき、第２ロケーションサービスを開始することができる。
【００３７】
例えば、ネットワークは、ＬＴＥ  ＲＡＴにおいてＵＥに対してＭＴ−ＬＲロケーションサービスを開始することを決定する。ネットワークは、ＭＴ−ＬＲロケーションサービスがＬＴＥ  ＲＡＴにおける測位を支援しないＵＥのために失敗された場合、ＣＳフォールバック手順によりＵＭＴＳ  ＲＡＴにおいてＵＥに対して新しいＭＴ−ＬＲを開始する。又は、ネットワークは、ＣＳフォールバック手順によりＵＭＴＳ  ＲＡＴにおいてＵＥに対してＭＴ−ＬＲロケーションサービスを開始することを決定する。ネットワークは、ＭＴ−ＬＲロケーションサービスがＵＭＴＳにおける測位を支援しないＵＥのために失敗された場合、ＬＴＥ  ＲＡＴにおいてＵＥに対してＭＴ−ＬＲロケーションサービスを開始する。この実施例の概念は、ＮＩ−ＬＲロケーションサービスについても用いられることが可能であることに留意されたい。
【００３８】
例示としての処理７０のフローチャートである図７を参照されたい。処理７０は、ロケーションサービスを処理するネットワークで利用される。処理７０は、プログラムコード２１４にまとめられることが可能であり、次のステップを有する。
ステップ７００：開始。
ステップ７１０：第１ＲＡＴにおいてＵＥの測位能力情報を有する第１メッセージをＵＥから受信する。
ステップ７２０：測位能力情報に従って第１ＲＡＴ又は第２ＲＡＴにおいてＵＥのロケーションサービスを開始すべきかどうかを判定する。
ステップ７３０：終了。
【００３９】
処理７０に従って、ＵＥは、第１メッセージを介してネットワークに対して、ネットワークからの指示／制御なしに、測位能力情報を送信することが可能である。測位能力情報は、ＵＥがＬＰＰプロトコルを実行するかどうかを通知するＬＰＰ支援情報であることが可能である。従って、ネットワークが測位能力情報を受信した後、ネットワークは、ＵＥがＬＰＰを支援するかどうかを、それ故、第１ＲＡＴ又は第２ＲＡＴにおいてＵＥのロケーションサービスを開始すべきかどうかを判定するかどうかを認識する。従って、ロケーションサービスの成功の機会が増加し、それ故、ロケーションサービス効率が向上する。
【００４０】
更に、第１メッセージは、ＲＲＣメッセージ又はＮＡＳメッセージであることが可能である。ＲＲＣメッセージは、ＲＲＣ接続要求メッセージ又はＲＲＣ接続設定完了メッセージである。ＮＡＳメッセージは、緊急アタッチ要求メッセージ、アタッチ要求メッセージ、アタッチ完了メッセージ、ＴＡＵ要求メッセージ、ＴＡＵ完了メッセージ又はサービス要求メッセージである。それらのメッセージは例示であって、それらに限定されるものではない。
【００４１】
処理７０の概念に基づく実施例を参照されたい。第１ＲＡＴはＬＴＥ  ＲＡＴであり、第２ＲＡＴはＵＭＴＳ  ＲＡＴであることを前提としている。ネットワークがＭＴ−ＬＲ／ＮＩ−ＬＲを開始することを望むとき、ネットワークは先ず、第１メッセージが受信される前に、測位能力情報（例えば、支援測位方法）を携帯装置に要求するように第２メッセージを送信する。第２メッセージはＬＰＰ能力要求メッセージであることが可能であり、それ故、ＵＥは、ネットワークに対する測位能力情報を有するＬＰＰ能力指示メッセージと共にＬＰＰ能力要求メッセージを応答する。ネットワークが、測位能力情報を有するＬＰＰ能力指示メッセージを受信した後、ネットワークは、ＵＥがＬＰＰを支援することを測位能力情報が示すときに、ＬＴＥにおおいてＵＥに対してＭＴ−ＬＲ／Ｎｉ−ＬＲを開始し、そしてＵＥがＬＰＰを支援しないことを測位能力情報が示すときに、ＣＳフォールバック手順によりＵＭＴＳにおいてＵＥに対してＭＴ−ＬＲ／ＮＩ−ＬＲを開始する。
【００４２】
例示としての処理８０のフローチャートである図８を参照されたい。処理８０は、ロケーションサービスを処理するネットワークで利用される。処理８０は、プログラムコード２１４にまとめられることが可能であり、次のステップを有する。
ステップ８００：開始。
ステップ８１０：第１ＲＡＴにおいてＵＥの測位能力情報についてＵＥに要求する。
ステップ８２０：ＵＥから処理能力情報を受信する。
ステップ８３０：ＵＥがロケーションサービスを支援することを測位能力情報が示すとき、第２ＲＡＴにおいてＵＥのロケーションサービスを開始する。
ステップ８４０：ＵＥがロケーションサービスを支援しないことを測位能力情報が示すとき、ロケーションサービスを開始しない。
ステップ８５０：終了。
【００４３】
処理８０に従って、ネットワークは、第１ＲＡＴにおける測位能力情報についてＵＥに要求し、測位能力情報に従って第２ＲＡＴにおいてロケーションサービスを開始すべきかどうかを判定する。例えば、ネットワークは、ＵＥがロケーションサービスを支援することを測位能力情報が示すとき、第２ＲＡＴにおいてロケーションサービスを開始する。更に、ネットワークは、ＵＥがロケーションサービスを開始しないことを測位能力情報が示すとき、ロケーションサービスを開始することを止める。
【００４４】
ＵＥがロケーションサービスについてＣＳフォールバックによりトリガされるハンドオーバになる前に又はなった後に、測位能力情報についてＵＥに要求することが可能である。例えば、ＬＴＥ  ＲＡＴがロケーションサービスを支援するか、又はＬＴＥネットワークにより確立されたＲＲＣ接続に従わないかを認識する。従って、ＵＥは、ＬＴＥ  ＰＡＴがロケーションサービスを支援しないとき、ＵＭＴＳ  ＲＡＴにおいてロケーションサービスを開始するＣＳフォールバック手順を開始する。ネットワークが、ＵＥがＵＭＴＳに対するハンドオーバになる前に測位能力情報についてＵＥに要求する場合、即ち、ネットワークがＬＴＥにおける測位能力情報についてＵＥに要求する場合、ＵＥがロケーションサービスを支援しないことを測位能力情報が示すときに、ＵＥはＵＭＴＳに対してハンドオーバにならない。代替として、ＵＥがＵＭＴＳに対するハンドオーバになった後に、即ち、ネットワークがＵＭＴＳにおける測位能力情報についてＵＥに要求した後に、ネットワークは、測位能力についてＵＥに要求することが可能である。従って、ＵＥがロケーションサービスを支援しないことを測位能力情報が示すとき、ＵＥはＵＭＴＳでロケーションサービスを実行しない。
【００４５】
処理８０の概念に基づく実施例を参照されたい。ネットワークは、ＬＴＥ  ＲＡＴにおいてＵＥに対してロケーションサービスを開始する。ＵＥは、ＬＴＥ  ＲＡＴが測位機能を支援しないときに、ＵＭＴＳ  ＲＡＴにおいてロケーションサービスを開始するＣＳフォールバック手順によりトリガされる。ネットワークが、ＵＭＴＳに対してＵＥをハンドオーバ処理する前に、ネットワークは、測位能力情報についてＵＥに要求するようにＵＥ能力問い合わせメッセージを送信する。従って、ＵＥは、ネットワークに対して、測位能力情報を有するＵＥ能力情報メッセージ共にＵＥ能力問い合わせメッセージを応答する。ネットワークがＵＥ能力情報メッセージを受信した後、ＵＥがロケーションサービスを支援することを測位能力情報が示す場合に、ネットワークは、ＬＴＥ  ＲＡＴからＵＭＴＳ  ＲＡＴにＵＥをハンドオーバ処理し、次いで、ＵＭＴＳ  ＲＡＴにおいてロケーションサービスを開始する。他方、ＵＥがロケーションサービスを支援しないことを測位能力情報が示す場合、ネットワークは、不必要なハンドオーバを回避するように、ＵＭＴＳ  ＲＡＴに対してＵＥをハンドオーバ処理せず、ロケーションサービスを開始しない。
【００４６】
代替として、ネットワークは、ＵＥがＵＭＴＳに対してハンドオーバになった後、測位能力情報を要求することが可能である。この状況下で、ネットワークは、測位能力情報要求についてＵＥにクラスマーク問い合わせメッセージを送信し、ＵＥは、ネットワークに対して測位能力情報を示すクラスマーク変更メッセージと共にクラスマーク問い合わせメッセージを応答する。ネットワークがクラスマーク変更メッセージを受信した後、ＵＥがロケーションサービスを支援することを測位能力情報が示す場合、ネットワークはＵＭＴＳ  ＲＡＴにおいてロケーションサービスを開始する。更に、資源の浪費を回避するように、ＵＥがロケーションサービスを支援しないことを測位能力情報が示すとき、ネットワークはロケーションサービスを開始することを止める。
【００４７】
ＵＥがネットワークに対して測位能力情報を提供する一方法について、以下に説明する。ＵＥがＵＭＴＳ  ＲＡＴにおいてロケーションサービスを支援するとき、ＵＥは、メッセージに移動局クラスマーク２情報要素（ＩＥ）及び移動局クラスマーク３情報要素（ＩＥ）の少なくとも一を有し、ネットワークに対してそのメッセージを送信する。移動局クラスマークＩＥの目的は、ネットワークに対して一般ＵＥ特性を示すことである。これは、ネットワークがＵＥの作動を操作する方法に影響を与える。例えば、ＵＥは、移動局クラスマーク２ＩＥにおいて複数のＬＣＳ支援の種類を示し、移動局クラスマーク３ＩＥにおいて複数の支援測位方法を示すことが可能である。従って、ネットワークは、ＵＥがロケーションサービスを支援することを測位能力情報が示すときに、移動局クラスマーク２ＩＥ及び移動局クラスマーク３ＩＥの少なくとも一に従ってＵＭＴＳ  ＲＡＴにおいてロケーションサービスを開始すべきかどうかを判定することが可能である。更に、上記のメッセージは、ＬＴＥ  ＲＡＴにおけるＵＥキャンプオンについてのアタッチ要求メッセージ又はＴＡＵ要求メッセージであることが可能である。他方、上記メッセージは、ＵＥがＣＳフォールバックによりＵＭＴＳに対するハンドオーバになるとき、ロケーション更新要求メッセージ又はルーティングエリア更新メッセージであることが可能である。それらのメッセージは例示であって、それらに限定されることを意図していない。
【００４８】
提案しているステップを有する処理についての上記ステップは、ハードウェア、ハードウェア装置における読み出し専用ソフトウェアとして備わっているコンピュータ命令及びデータ並びにハードウェアの組み合わせとして知られているファームウェア、若しくは電子システムであることが可能である手段により実現されることが可能であることに留意されたい。ハードウェアの例として、マイクロ回路、マイクロチップ又はシリコンチップとして知られているアナログ回路、ディジタル回路及びそれらの混合回路を有することが可能である。電子システムの例としては、ＳＯＣ（Ｓｙｓｔｅｍ  Ｏｎ  Ｃｈｉｐ）、Ｓｉｐ（Ｓｙｓｔｅｍ  ｉｎ  ｐａｃｋａｇｅ）、ＣＯＭ（Ｃｏｍｐｕｔｅｒ  Ｏｎ  Ｍｏｄｕｌｅ）及び通信装置２０がある。
【００４９】
結論として、上記例示としての方法及び手段が、ロケーションサービスを処理するように提供されている。ネットワーク／ＵＥは、どのＲＡＴ（例えば、ＬＴＥ又はＵＭＴＳ  ＲＡＴ）がＵＥ／ネットワークからの測位能力情報に従ってロケーションサービスを開始すべきかを判定することを、それ故、ロケーションサービス効率を高めることを可能にする。
【００５０】
当業者は、開示されている教示を維持しつつ、上記装置及び方法の多くの修正及び変形が可能であることを容易に理解することができる。従って、上記の開示されている内容は、同時提出の特許請求の範囲のみにより限定されるとして解釈される必要がある。
【図１】
2011019227.tif 000003
【図２】
2011019227.tif 000004
【図３】
2011019227.tif 000005
【図４】
2011019227.tif 000006
【図５】
2011019227.tif 000007
【図６】
2011019227.tif 000008
【図７】
2011019227.tif 000009
【図８】
2011019227.tif 000010
【外国語明細書】
2011019227.tif 000011
2011019227.tif 000012
2011019227.tif 000013
2011019227.tif 000014
2011019227.tif 000015
2011019227.tif 000016
2011019227.tif 000017
2011019227.tif 000018
2011019227.tif 000019
2011019227.tif 000020
2011019227.tif 000021
2011019227.tif 000022
2011019227.tif 000023
2011019227.tif 000024
2011019227.tif 000025
【図１】
2011019227.tif 000026
【図２】
2011019227.tif 000027
【図３】
2011019227.tif 000028
【図４】
2011019227.tif 000029
【図５】
2011019227.tif 000030
【図６】
2011019227.tif 000031
【図７】
2011019227.tif 000032
【図８】
2011019227.tif 000033